(57)【特許請求の範囲】
【請求項１】
電磁石式のしゃ断器引外し機構および早入り補助スイッチを備えたた不足電圧引外し装置を付属装置として使用する回路しゃ断器であり、しゃ断器本体にはその操作ハンドルに連動するリセットカムおよび該カムに従動する駆動レバーを備え、不足電圧引外し装置をしゃ断器本体の側面に装着した状態で、早入り補助スイッチの揺動式接点ホルダに結合した動作レバーを前記駆動レバーに連係させ、回路しゃ断器のリセット操作時にハンドルと連動して前記早入り接点を投入するようにしたものにおいて、
前記駆動レバーに駆動ばねを付設して早入り補助スイッチの接点ホルダを接点投入方向に付勢するとともに、操作ハンドルのＯＦＦ位置では前記リセットカムが駆動ばねに抗して駆動レバーを後退位置に拘束し、ＯＦＦ位置を除く操作ハンドルのＯＮ，ＴＲＩＰ位置で駆動レバーの拘束を解除するようにしたことを特徴とする回路しゃ断器。
【請求項２】
請求項１記載の回路しゃ断器において、駆動レバーが長手方向の中間部をしゃ断器ケースに軸支したシーソー形レバーであり、かつその先端を早入り補助スイッチの接点ホルダに結合した動作レバーに対峙させ、他端側に駆動ばねを付設したことを特徴とする回路しゃ断器。
【請求項３】
請求項２記載の回路しゃ断器において、駆動レバーの先端部にストッパを設け、リセットカムによる拘束を解除した状態では駆動ばねのばね付勢により前記ストッパをしゃ断器本体のケースに壁面に突き当てて駆動レバーをその位置に拘束保持させるようにしたことを特徴とする回路しゃ断器。
【発明の詳細な説明】
【０００１】
【発明の属する技術分野】
本発明は、電動機制御用の配線用しゃ断器などを対象とした回路しゃ断器に関し、詳しくは回路しゃ断器に装着する不足電圧引外し装置（付属装置）の早入り補助スイッチに連係するしゃ断器本体の操作ハンドル機構に係る。
【０００２】
【従来の技術】
頭記の配線用しゃ断器には各種の付属装置がオプション品として用意されており、その一つに早入り補助スイッチ付き不足電圧引外し装置がある。この不足電圧引外し装置はしゃ断器本体に装着して使用し、通電中に主回路電圧が異常に低下した際にしゃ断器をトリップ動作させるものであり、電磁石式の引外し機構，および電磁石の回路に接続してしゃ断器側のハンドル機構に連繋させた早入り補助スイッチを内蔵し、回路しゃ断器のトリップ動作後に、ハンドル操作で回路しゃ断器の主回路接点を投入させるに際し、不足電圧引外し装置の早入り接点を先に投入してリセットさせるようにした構成のものが知られている。
【０００３】
ここで、付属装置としての早入り接点接点付き不足電圧引外し装置を説明する前に、まず配線用しゃ断器を対象とした回路しゃ断器の構成を図２，図３に示す。図２において、１は回路しゃ断器、１ａはしゃ断器本体のケース、２は主回路接点，消弧室を備えたう電流しゃ断部、３は電流しゃ断部２に対する接点開閉機構部、４は過電流引外し装置、５はケース１ａのカバー上面に配したロータリー式の操作ハンドルであり、該操作ハンドル５の軸には接点開閉機構部３との間を連繋する歯車機構６、および後記する不足電圧引外し装置（付属装置）の早入り補助スイッチに対応する駆動レバーの制御用リセットカムが連結されている。
【０００４】
上記回路しゃ断器１の開閉動作は周知の通りであり、操作ハンドル５をＯＦＦからＯＮ位置に回すと、歯車機構６を介して接点開閉機構部３のトグルリンク機構３ａが動作し、開閉ばね３ｂ，開閉レバー３ｃを介して電流しゃ断部２の主回路接点を閉極する。逆に操作ハンドル５をＯＮからＯＦＦ位置に回すと、トグルリンク機構３ａ，開閉レバー３ｃが反転動作して電流しゃ断部２の主回路接点を開極する。また、主回路に過電流が流れて過電流引外し装置４が接点開閉機構部３のラッチ機構３ｄを釈放すると、開閉機構部３が主回路接点を開極させて電流をしゃ断する。なお、操作ハンドル５はこのトリップ動作に従動してＯＮ位置とＯＦＦ位置との中間のＴＲＩＰ位置に停止して回路しゃ断器がトリップ動作したことを表示するようにしている。
【０００５】
また、しゃ断器がトリップ動作した後に、主回路の正常回復を待ってしゃ断器を投入させる場合には、操作ハンドル５をＴＲＩＰ位置から一旦ＲＥＳＥＴ位置（ＯＦＦ位置と同じ）に戻して接点開閉機構部３のラッチ機構３ｄをリセットさせた上で、ここからＯＮ位置に回すことにより主回路接点が閉極して投入状態となる。なお、前記接点開閉機構部の構造，動作については本発明と同一出願人より先に提案した特願平１１−１９２７１２に詳しく述べられている。
【０００６】
次に、前記回路しゃ断器の本体に装着して使用する付属装置としての早入り補助スイッチ付き不足電圧引外し装置の構成，動作を図４〜図８で説明する。すなわち、不足電圧引外し装置１０は独立したユニットとして回路しゃ断器１のケース１ａの側面に装着され、そのユニットケース１１（ユニットケースはその外形がしゃ断器本体の外形（高さ，長さ）に合わせた形状になる）には段違いに並べてケース１１の両端に配した外部接続端子（ねじ端子）１２，電磁石１３，電磁石１３の通電回路を開閉する早入り補助スイッチ１４，電磁石１３のアーマチュア１３ａに一端を結合して他端をしゃ断器本体側のラッチ機構に連係させた引外しレバー１５などを装備した構成になる。そして、図６のように回路しゃ断器１の側面に装着してしゃ断器本体のハンドル機構に連係させ、また図７のように回路しゃ断器１の主回路に配線して使用される。
【０００７】
ここで、前記引外しレバー１５の上端からユニットケース１１を貫通して側方に引出したピン１５ａは、しゃ断器本体の接点開閉機構部３に組付けた引外し板３ｅ（図８参照）の肩部に対峙しており、主回路電圧が正常であれば電磁石１３の吸引動作により引外しレバー１５は復帰ばね１５ｂのばね力に抗して上方に押し上げられ、そのピン１５ａが引外し板３ｅから離脱してしゃ断器本体のラッチ機構３ｄを係合状態に保つ。また、主回路電圧が異常低下すると、復帰ばね１５ｂのばね力が電磁石１３の吸引力に打ち勝って引外しレバー１５を下方に押し下げる。これにより、引外しレバー１５の上端から突き出したピン１５ａがしゃ断器本体の引外し板３ｅを押し下げてラッチ機構を釈放する。これにより、回路しゃ断器がトリップ動作する。
【０００８】
一方、早入り補助スイッチ１４は、一対の固定接点１４ａおよび固定接点１４ａの間を橋絡するブリッジ形の可動接点１４ｂからなる上下２組の早入り接点と、可動接点１４ｂをその接触ばねとともに支持した揺動式の接点ホルダ１４ｃからなる。なお、接点ホルダ１４ｃはその下端を支軸１４ｄに軸支してた上で、支軸１４ｄに設けた復帰ばね（捩じりコイルばね）により接点を開く方向（反時計方向）にばね付勢されており、さらに接点ホルダ１４ｃの上端に連結してユニットケース１１を貫通して側方に引出したピン形の動作レバー１４ｃ-1をしゃ断器本体のケース側壁に開口したスリット穴を通じて差し込み、次記のようにしゃ断器本体のハンドル機構部に組込んだ駆動レバー１６と連係させている。
【０００９】
すなわち、図４，図５で示すように駆動レバー１６は、操作ハンドル５に連結したリセットカム１７の周面に対峙してその側方に配置されており、ハンドル５をＯＮ位置に回すとリセットカム１７，駆動レバー１６を介して前記した早入り補助スイッチ１４の接点ホルダ１４ｃを接点投入方向に駆動する。ここで、従来例としてドイツ特許（ＤＥ１９７５４０７２Ｃ１）の明細書に開示されている駆動レバー，リセットカムの構造を図９(a),(b) に示す。
【００１０】
すなわち、図９に示す構造では、駆動レバー１６が支軸１６ａを支点に揺動自在に軸支されたＶ字形レバーになり、その先端部１６ｂをしゃ断器ケース１ａの側壁に開口したスリットを通して引き入れた早入り補助スイッチの動作レバー１４ｃ-1に対峙させ、他方の突起部１６ｃをリセットカム１７のカム面に対峙させている。一方、操作ハンドル５に連結したリセットカム１７は、そのカム面一部に凹部１７ａを形成した形状になる。なお、駆動レバー１６，リセットカム１７は樹脂成形品で作られている。
【００１１】
上記の構成で、回路しゃ断器１をトリップ動作後に手動で再投入するに際して、図８(a) に示すトリップ状態で操作ハンドル５をＴＲＩＰ位置から反時計方向に回して図８(b) のＯＦＦ位置まで一旦戻し、続いて操作ハンドル５をＯＮ位置に向けて時計方向に回すと、その途上で操作ハンドル５に連動して回転するリセットカム１７が駆動レバー１６を押して反時計方向に揺動させる。これにより、動作レバー１４ｃ-1を介して早入り補助スイッチ１４の接点ホルダ１４ｃがＯＦＦ位置からＯＮ位置に駆動され、この動作により早入り接点が閉じて電磁石１３が通電となるとともに、電磁石１３が励磁されるとアーマチュア１３ａが吸引動作して引外しレバー１５を上方に引き上げ、しゃ断器本体の引外し板３ｅの拘束を解く。これにより、引外し板３ｅが復帰ばね３ｆにより押し上げられてラッチ機構３ｅのラッチ爪とラッチ受けとが掛かり合う待機状態になる。そして、引き続き操作ハンドル５を時計方向に回して図８(c) のＯＮ位置に移動すると、接点開閉機構部３を介して電流しゃ断部２の主回路接点が閉極することになる。
【００１２】
また、上記の動作を図９の機構で説明すると次のようになる。すなわち、回路しゃ断器の再投入時に操作ハンドル５をＴＲＩＰ位置からＯＦＦ位置に回すと、駆動レバー１６の突起部１６ｃとリセットカム１７の凹部１７ａとが向かい合うようになり、この位置で早入り補助スイッチ１４の接点ホルダ１４ｃから加わるばね力（接点ホルダの復帰ばね）により駆動レバー１６は支軸１６ａを中心に時計方向に回動して図９(a) のように突起部１６ｃがリセットカム１７の凹部１７ａに入り込むとともに、この駆動レバー１６の後退に合わせて接点ホルダ１４ｃはＯＦＦ位置に揺動して早入り接点がＯＦＦとなる。また、このＯＦＦ位置から操作ハンドル５をＯＮ位置に回すと、駆動レバー１６の突起部１６ｃがリセットカム１７の凹部１７ａから抜け出して円弧状カム面に乗り上げる。これにより、駆動レバー１６が反時計方向に回動して先端部１６ｂが動作レバー１４ｃ-1を押し、接点ホルダ１４をＯＮ位置に移動させて早入り接点をＯＮにする。
【００１３】
【発明が解決しようとする課題】
ところで、図９に示した従来の駆動レバー，リセットカムの構造では動作，機能面で次に記すような問題点がある。すなわち、
(1) 操作ハンドル５のＯＮ位置（図９(b) 参照）では、駆動レバー１６に不足電圧引外し装置の早入り補助スイッチ側から動作レバー１４ｃ-1を介して早入り接点の接触ばね反力，および接点ホルダ１４ｃの復帰ばね力が加わり、この力が駆動レバー１６の突起部１６ｃと操作ハンドル５に連結したリセットカム１７との当接点に作用する。このために、回路しゃ断器のトリップ動作時に、その接点開閉機構部の開閉ばねのばね力で操作ハンドル５をＯＮからＴＲＩＰ位置に移動させる際に、駆動レバー１６からリセットカム１７の周面に加わる力が制動力となって操作ハンドル５の円滑な回転を妨げ、その制動力がハンドルの回転操作力を上回った場合には操作ハンドル５がＴＲＩＰ位置まで回らずに途中で停止してしまうといった動作トラブルを引き起こすことがある。
【００１４】
(2) 操作ハンドル５のＯＦＦ位置（図９(a) 参照）では、駆動レバー１６の突起部１６ｃとリセットカム１７の凹部１７ａとの間に若干の遊び隙間δが残る。このことから、不足電圧引外し装置を取り外した状態では、前記隙間δに対応して駆動レバー１６の停止位置が一定せず、状況によっては駆動レバー１６の先端部１６ｂがしゃ断器ケースの側壁に開口したスリット（早入り補助スイッチの動作レバー１４ｃ-1をしゃ断器本体に差し込む穴）の内側に突き出し、このために不足電圧引外し装置を装着する際に早入り補助スイッチ１４の動作レバー１４ｃ-1の先端が駆動レバー１６の先端部１６ｂに突き当たってしまい、うまく不足電圧引外し装置を回路しゃ断器に装着できないことがある。
【００１５】
(3) また、不足電圧引外し装置が付属しない回路しゃ断器の単独使用の状態で操作ハンドル５がＯＮ位置にあると、駆動レバー１６がフリーとなって支軸１６ａの回りで自由に揺動可能となる。このために、回路しゃ断器を配電盤などに組み込んだ使用現場で振動などが加わったりすると、駆動レバー１６がガタついてその突起部１６ｃがリセットカム１７に繰り返し当たって異常音が発生したり、長期の間に駆動レバー，リセットカムが異常損耗して破損するおそれがある。
【００１６】
本発明は上記の点に鑑みなされたものであり、前記した各問題点の解消を目的に、不足電圧引外し装置（付属装置）の早入り補助スイッチと連係するしゃ断器本体のハンドル機構部を巧みに改良した回路しゃ断器を提供することにある。
【００１７】
【課題を解決するための手段】
上記目的を達成するために、本発明によれば、電磁石式のしゃ断器引外し機構および早入り補助スイッチを備えたた不足電圧引外し装置を付属装置として使用する回路しゃ断器であり、しゃ断器本体にはその操作ハンドルに連動するリセットカムおよび該カムに従動する駆動レバーを備え、不足電圧引外し装置をしゃ断器本体の側面に装着した状態で、早入り補助スイッチの揺動式接点ホルダに結合した動作レバーを前記駆動レバーに連係させ、回路しゃ断器のリセット操作時にハンドルと連動して前記早入り接点を投入するようにしたものにおいて、
前記駆動レバーに駆動ばねを付設して早入り補助スイッチの接点ホルダを接点投入方向に付勢するようにするとともに、操作ハンドルのＯＦＦ位置では前記リセットカムが駆動ばねに抗して駆動レバーを後退位置に拘束し、ＯＦＦ位置を除く操作ハンドルのＯＮ，ＴＲＩＰ位置で駆動レバーの拘束を解除するようにする（請求項１）。
【００１８】
上記の構成により、操作ハンドルをＯＦＦからＯＮ位置に回すと、駆動レバーがリセットカムから離間してその拘束が釈放される。これにより、駆動レバーは駆動ばねの付勢を受けて不足電圧引外し装置に組み込んだ早入り補助スイッチの接点ホルダをＯＮ位置に駆動して早入り接点を閉じる。一方、回路しゃ断器のトリップ動作に従動して操作ハンドルがＯＮからＴＲＩＰ位置に移動する過程でも、操作ハンドルに連結したリセットカムと駆動レバーとの間が離間しているので、操作ハンドルは駆動レバー側から負荷がかかることがなく、ＴＲＩＰ位置に向け自由に回転できるようになる。また、回路しゃ断器のリセット操作に際して操作ハンドルをＴＲＩＰからＯＦＦ位置に回すと、駆動レバーはリセットカムに押されて早入り補助スイッチの接点ホルダの拘束を解くように後退する。これにより、接点ホルダはホルダ自身の復帰ばね力でＯＦＦ位置に揺動して早入り接点を開く。また、続いて操作ハンドルをＯＦＦからＯＮ位置に回すと前記のように早入り接点が閉じて回路しゃ断器がリセットされる。
【００１９】
また、回路しゃ断器から不足電圧引外し装置を外した状態で操作ハンドルをＯＦＦ位置に回すと、駆動レバーはリセットカムの拘束を受けて定位置（後退位置）に保持される。したがって、回路しゃ断器に不足電圧引外し装置を装着する際に、その早入り補助スイッチの接点ホルダからしゃ断器本体の内部に挿入する動作レバーがしゃ断器本体の駆動レバー先端部に干渉して不足電圧引外し装置の装着を阻害するおそれがない。
【００２０】
また、本発明によれば、前記の駆動レバーは次記のような態様で構成することができる。
(1) 駆動レバーをしゃ断器ケースに軸支したシーソー形レバーとなし、その先端を早入り補助スイッチの接点ホルダに結合した動作レバーに対峙させ、他端側に駆動ばねを付設して早入り補助スイッチの接点ホルダをＯＮ位置に向けて駆動するように付勢する（請求項２）。
【００２１】
(2) 駆動レバーの先端部にストッパを設け、リセットカムによる拘束を解除した状態では駆動ばねのばね付勢により前記ストッパをしゃ断器本体のケースに壁面に突き当てて駆動レバーをその位置に拘束保持させるようにし（請求項３）、不足電圧引外し装置を付属させない回路しゃ断器単独の使用状態で、外部から加わる振動などにより、駆動レバーがガタついて異常音を発生したり、駆動レバーとリセットカムが衝突して損耗したりするのを防ぐようにする。なお、操作ハンドルをＯＦＦ位置に回した状態では、駆動レバーがリセットカムによって拘束保持されるので、同様に異常音が発生するとはなない。
【００２２】
【発明の実施の形態】
以下、本発明の実施の形態を図１(a) 〜(c) 示す実施例に基づいて説明する。なお、実施例の図中で図９に対応する部材には同じ符号を付してその詳細な説明は省略する。
すなわち、図示実施例においては、操作ハンドル５の側方に並置して不足電圧引外し装置（付属装置）１０の動作レバー１４ｃに連係させた駆動レバー１６が、支軸１６ａを支点として水平方向に揺動可能なシーソー形のレバーになる。そして、該駆動レバー１６の先端部１６ｂから下方に突き出したピンをしゃ断器ケース１ａの側壁穴を貫通して不足電圧引外し装置１０から差し入れた接点ホルダ１４ｃの動作レバー１４ｃ-1に対峙させるとともに、他端側の突起部１６ｃを操作ハンドル５に連結したリセットカム１７に対峙させ、かつ突起部１６ｃの背面としゃ断器ケース１ａとの間に駆動ばね（圧縮ばね）１８を介挿して駆動レバー１６を支軸１６ａの回りで反時計方向に付勢するようにしている。なお、駆動ばね１８のばね力は、不足電圧引外し装置１０の早入り補助スイッチ１４（図５参照）の接点ホルダ１４ｃに設けた復帰ばねのばね力と早入り接点の可動接点１４ｂを固定接点１４ａに押圧する接触ばねの反力とを合わせた力よりも大に設定されている。また、駆動レバー１６にはその先端部１６ｂの背面側に、しゃ断器ケース１ａの内壁面に対峙させて突起状のストッパ１６ｄを設けている。一方、リセットカム１７は、図示のようにカム面の一部に凸部１７ｂを形成した輪郭とし、次記のように操作ハンドル５のＯＦＦ位置では、駆動ばね１８に抗してリセットカム１７が駆動レバー１６を後退位置に押すようにしている。
【００２３】
すなわち、操作ハンドル５を図１(a) のＯＦＦ位置に回すと、駆動レバー１６の突起部１６ｃがリセットカム１７の凸部１７ｂに乗り上げ、駆動ばね１８に抗して駆動レバー１６を図示の後退位置に拘束する。この拘束状態では駆動レバー１６が支軸１６ａを支点に時計方向に揺動してその先端部１６ｂが左側に移動する。これにより、不足電圧引外し装置１０に組み込んだ早入り補助スイッチ１４の接点ホルダ１４ｃは自身の復帰ばね（図示せず）のばね力を受けて早入り接点を開くようにＯＦＦ位置に復帰する。
【００２４】
一方、操作ハンドル５をＯＦＦ位置からＯＮ位置に向けて回すと、その途上で駆動レバー１６の突起部１６ｃがリセットカム１７の凸部１７ｂから外れて拘束が解かれ、操作ハンドル５のＯＮ位置では図１(c) で表すように駆動レバー１６とリセットカム１７とが離間するとともに、駆動レバー１６は駆動ばね１８のばね力を受けて反時計方向に揺動する。これにより、レバー先端部１６ｂが動作レバー１４ｃ-1を右方向に押して接点ホルダ１４ｃをＯＮ位置に移動し、早入り接点を閉じる。
【００２５】
また、図１(b) に示した操作ハンドル５のＴＲＩＰ位置では、駆動レバー１６がリセットカム１７から離間していて駆動ばね１８のばね力がリセットカム１７の周面に加わらないようにしている。
上記の構成で、回路しゃ断器１に装着した早入り補助スイッチ付き不足電圧引外し装置１０（付属装置）は次のように動作する。まず、操作ハンドル５をＯＮ位置に回した回路しゃ断器１の投入状態では、図１(c) のように駆動レバー１６が駆動ばね１８に付勢されて早入り補助スイッチの接点ホルダ１４ｃをＯＮ位置に駆動し、早入り接点を閉じる。これにより、図４に示した電磁石１３が通電し、その吸引動作で引外しレバー１５が待機位置に押し上げ保持される。
【００２６】
一方、主回路の過電流，異常電圧低下などにより回路しゃ断器１がトリップ動作し、このトリップ動作に従動して操作ハンドル５がＯＮからＴＲＩＰ位置に移動する過程では、図１(b) で述べたように駆動レバー１６とリセットカム１７との間が離間していて、操作ハンドル５にはその回転を阻害するように負荷が加わらない。したがって、従来構造（図９参照）のように操作ハンドルがＴＲＩＰ位置に向けて移動する途中で停止するといったトラブル発生のおそれはない。
【００２７】
そして、主回路の回復を待って回路しゃ断器１を再投入する際に、操作ハンドル５をＴＲＩＰ位置から一旦ＯＦＦ位置に戻した上で、ここからＯＮ位置に向けて回すと、図１(a),(c) で述べたように駆動レバー１６の操作により早入り補助スイッチ１４の早入り接点がＯＦＦからＯＮに切り換わり、これにより回路しゃ断器１はリセットされ、続く操作ハンドル５のＯＮ操作により主回路接点が閉極する。
【００２８】
また、不足電圧引外し装置１０を使わない回路しゃ断器１の単独使用状態で操作ハンドル５をＯＮ位置に回すと、駆動レバー１６は駆動ばね１８の付勢を受けて反時計方向に揺動し、レバー先端側に設けたストッパ１６ｄがしゃ断器ケース１ａの内壁面に突き当たってこの位置に拘束保持される。したがって、外部から振動などが加わっても、駆動レバー１６がガタついたりすることがなく、従来構造のように駆動レバー１６がリセットカム１７に衝突して異常音が発生したり、損耗，破損したりすることがない。なお、操作ハンドル５のＯＦＦ位置では、先記のように駆動レバー１６が図１(a) の位置に拘束保持されるので、前記と同様に駆動レバー１６のガタつきに起因する異常音の発生，駆動レバー，リセットカムの損耗，破損を防止できる。
【００２９】
さらに、回路しゃ断器１から不足電圧引外し装置１０を取り外した状態では、操作ハンドル５をＯＦＦ位置に回すと、駆動レバー１６はリセットカム１７の凸部１７ｂに乗り上げて図１(a) の位置に後退して拘束保持される。したがって、この状態で回路しゃ断器１に不足電圧引外し装置１０を装着すれば、しゃ断器ケース１ａの側壁に開口したスリットを通して側方からしゃ断器本体の内部に差し入れる早入り補助スイッチ１４の動作レバー１４ｃ-1がしゃ断器本体側の駆動レバー１６の先端部１６ｂに干渉することがなく、これにより従来構造のように動作レバー１４ｃ-1の先端が駆動レバー１６の先端に突き当たって不足電圧引外し装置１０がうまく装着できないといった不具合が防げる。
【００３０】
【発明の効果】
以上述べたように、本発明の構成によれば、次記の効果を奏する。
(1) 早入り補助スイッチを内蔵した不足電圧引外し装置を付属装置として使用する回路しゃ断器において、そのハンドル機構部に組み込んだ駆動レバーに駆動ばねを付設して早入り補助スイッチの接点ホルダを接点投入方向に付勢するとともに、操作ハンドルのＯＦＦ位置では前記駆動ばねに抗してリセットカムが駆動レバーを後退位置に拘束し、ＯＦＦ位置を除く操作ハンドルのＯＮ，ＴＲＩＰ位置で駆動レバーの拘束を解除するよう構成したことにより、回路しゃ断器のトリップ動作に従動して操作ハンドルがＯＮからＴＲＩＰ位置に移動する過程では、操作ハンドルに連結したリセットカムと駆動レバーとの間が離間するので、操作ハンドルは駆動レバー側からの負荷を受けることなくＴＲＩＰ位置に向け自由に回転でき、従来構造のように操作ハンドルがＯＮからＴＲＩＰ位置に向かう途中で停止するようなトラブルを防止して動作の信頼性を高めることができる。
【００３１】
また、不足電圧引外し装置を取り外した状態で操作ハンドルをＯＦＦ位置に回すと、駆動レバーがリセットカムの拘束を受けて定位置（後退位置）に保持されるので、不足電圧引外し装置の装着時に早入り補助スイッチの接点ホルダからしゃ断器本体の内部に差し込まれる動作レバーとしゃ断器本体側の駆動レバーとの不要な干渉を防いで、不足電圧引外し装置を確実に装着できる。
【００３２】
(2) また、駆動レバーの先端部にストッパを設け、リセットカムによる拘束を解除した状態では、前記ストッパを駆動ばねのばね付勢によりしゃ断器本体のケースに壁面に突き当てて駆動レバーをその位置に拘束保持させるようにしたことにより、不足電圧引外し装置を付属させない回路しゃ断器単独の使用状態では、操作ハンドルのＯＮ，ＯＦＦ位置で駆動レバーが動かないように拘束されるので、外部から加わる振動などに起因する異常音の発生、および駆動レバーとリセットカムの衝突による損耗，破損を防ぐことができる。
【図面の簡単な説明】
【図１】本発明の実施例に係る回路しゃ断器の要部構造，およびその動作の説明図であり、(a),(b),(c) はそれぞれ操作ハンドルのＯＦＦ，ＴＲＩＰ，ＯＮ位置に対応した状態を表す図
【図２】配線用しゃ断器を対象とした回路しゃ断器の略示構成図
【図３】図２における接点開閉機構の詳細構造図
【図４】回路しゃ断器に早入り接点付き不足電圧引外し装置を装着した状態の平面図
【図５】図４における不足電圧引外し装置の内部構造を表す正面図
【図６】回路しゃ断器に早入り接点付き不足電圧引外し装置を装着した状態を表す斜視図
【図７】回路しゃ断器に付属させた早入り接点付き不足電圧引外し装置の配線図
【図８】回路しゃ断器および不足電圧引外し装置の連係動作の説明図であり、(a) はしゃ断器本体：ＴＲＩＰ，早入り接点：ＯＦＦ、(b) はしゃ断器本体：ＲＥＳＥＴ，早入り接点：ＯＦＦ、(c) はしゃ断器本体：ＯＮ，早入り接点：ＯＮの動作状態を表す図
【図９】従来の回路しゃ断器におけるハンドル機構部の構造および動作の説明図であり、(a),(b) はそれぞれ操作ハンドルのＯＦＦ，ＯＮ状態に対応した平面図
【符号の説明】
１    回路しゃ断器
２    電流しゃ断部
３    接点開閉機構部
４    過電流引外し装置
５    ロータリー式操作ハンドル
１０    不足電圧引外し装置
１１    ユニットケース
１３    電磁石
１４    早入り補助スイッチ
１４ａ  固定接点
１４ｂ  可動接点
１４ｃ  接点ホルダ
１４ｃ-1  動作レバー
１５    引外しレバー
１６    駆動レバー
１６ｄ  ストッパ
１７    リセットカム
１７ａ  凸部
１８    駆動ばね
【図１】
0004258994.tif 000002
【図２】
0004258994.tif 000003
【図３】
0004258994.tif 000004
【図４】
0004258994.tif 000005
【図５】
0004258994.tif 000006
【図６】
0004258994.tif 000007
【図７】
0004258994.tif 000008
【図８】
0004258994.tif 000009
【図９】
0004258994.tif 000010